(57)【特許請求の範囲】
【請求項１】
上面が開口する箱本体と蓋部と吊り下げ部を有する箱状体からなる包装ケースであって、
前記蓋部は、前記箱本体の前側上端の開口一辺を介して連結され前記蓋部の端縁に前記開口内に差込まれる折曲げ片が延設され、該折曲げ片の折り目に沿って切り口が形成され、前記切り口部分には、切り口の両端部が山形に切り込まれることにより山形の係合片が形成され両係合片に挟まれた部分に切り起こし片が形成され、
前記吊り下げ部は、前記箱状体の背面側上端の開口一辺を介して延設された背面板と、前記背面板の前側に折り返された折り返し片と、前記背面板および前記折り返し片の折れ線を挟んで対称に穿設されたフック穴と、前記折り返し片の先端部に２本の切り込みを入れることにより当該切れ込みの間に形成された舌片とを有し、前記舌片は先端縁が略弧状に形成されるとともに、両側縁に突片が形成され、
前記蓋部を閉蓋する際に、前記切り口に前記舌片が挿入されて前記舌片の前記突片と前記切り口の両端部の前記係合片とが係合し、
前記箱本体と前記蓋部との境界近傍に、前記蓋部を開蓋しうる切り取り線が設けられていることを特徴とする包装ケース。
【請求項２】
請求項１の包装ケースにおいて、
前記箱本体の側面部には、前記蓋部と接着される接着片が設けられており、前記接着片には、複数の微小切れ込みが形成されていることを特徴とする包装ケース。
【発明の詳細な説明】
【０００１】
【発明の属する技術分野】
本発明は、インクジェット式プリンタに用いられるインクカートリッジを包装するインクカートリッジ用包装ケースに関するものである。
【０００２】
【従来の技術】
従来から、インクジェット式プリンタに用いられる交換用のインクカートリッジは、図７に示すような包装ケースに包装されて店頭等に陳列され販売されている。この包装ケースは、紙製で全体として略直方体状を呈し、背面上側に、フック穴１１が穿設された吊り下げ部１２が設けられている。
【０００３】
上記包装ケースは、上面に開放する箱本体１０と、この箱本体１０の前側上端の開口一辺を介して連結されて上面開口を蓋する蓋部１３とを備えている。上記蓋部１３の先端には、閉蓋状態で上記開口内に差込まれる折り曲げ片１４が延設されている。また、上記箱本体１０の左右上端縁には、開口内に折り曲げられて閉蓋状態の蓋部１３下面と接着される接着片１５が延設されている。
【０００４】
一方、上記吊り下げ部１２は、箱本体１０の背面側上端の開口一辺を介して連結され、略中央付近から前側に折り曲げ形成され、先端部が開口内に差込まれて形成されている。そして、上記吊り下げ部１２の先端部は、閉蓋状態で蓋部１３の折り曲げ片１４と接着されるようになっている。
【０００５】
また、上記箱本体１０と蓋部１３との境界部には、ミシン目１６が形成され、このミシン目１６の略中央部にミシン目によって囲われた押圧部１７が形成されている。
【０００６】
そして、上記包装ケースは、箱本体１０の前面上部に形成された押圧部１７を背面側に向かって押圧して蓋部１３の前端に手指を掛け、その状態で蓋部１３を上方に向かって回動させることによりミシン目１６を破って開蓋し、内部に収容されたインクカートリッジを取り出すようになっている。
【０００７】
【発明が解決しようとする課題】
ところが、上記包装ケースでは、蓋部１３先端の折り返し片１４と吊り下げ部１２の先端部とが接着剤等で接着されるとともに、蓋部１３の下面と接着片１５とが接着剤等で接着されることにより、閉蓋状態を保持するようになっている。このため、本来、前面のミシン目１６を破ってインクカートリッジを取り出すようになっているにもかかわらず、上記接着部分を剥離剤等を用いてきれいに剥がし、ケースを破壊せずにインクカートリッジを取り出すことができる。
【０００８】
このように、破壊されずに内容物が取出された包装ケースは、内部に純正メーカー製でない模倣品のインクカートリッジが収容され、再び元のように包装されて純正品と偽って取り引きする不正取り引きが行われる原因となっている。このような不正な模倣品が流通すると、ユーザーは、純正品と誤って粗悪な模倣品を買わされることとなり、本来のプリンタ性能が得られないだけでなく、最悪の場合にはプリンタ自体の故障の原因ともなり、極めて多大な損害を被ることになる。
【０００９】
本発明は、このような事情に鑑みなされたもので、内容物を取り出す際に破壊しやすく、再使用による不正な粗悪品の流通を防止しうるインクカートリッジ用包装ケースの提供を目的とする。
【００１０】
【課題を解決するための手段】
上記目的を達成するため、本発明のインクカートリッジ用包装ケースは、 内部にインクカートリッジが収容される箱状体からなるインクカートリッジ用包装ケースであって、上記箱状体に、舌片を備えた舌片形成片が設けられるとともに、上記舌片挿入用の切り口が形成され、上記舌片に、切り口から抜ける際に切り口の端部に引掛かる引掛り片が形成され、上記箱状体が、上面に開口する箱本体と、この箱本体に開口一辺を介して連結されて上記開口を蓋する蓋部とを有し、上記蓋部の端縁に上記開口内に差込まれる折曲げ片が延設され、この折曲げ片の折り目に沿って切り口が形成され、上記箱本体と上記蓋部との境界近傍に、上記蓋部を開蓋しうる切り取り線が設けられていることを要旨とする。
【００１１】
すなわち、本発明のインクカートリッジ用包装ケースは、箱状体に、舌片を備えた舌片形成片が設けられるとともに、上記舌片挿入用の切り口が形成され、上記舌片に、切り口から抜ける際に切り口の端部に引掛かる引掛り片が形成されているため、内容物を取り出す際に、上記舌片を切り口から抜かなければならず、その際、舌片の引掛かり片が切り口端部に引掛かって破損しやすくなる。したがって、内容物を取り出す際に破壊して再使用できなくなり、従来のような粗悪品の流通を防止できる。
しかも、切り口が折り目に沿って形成されていることから目立ち難く、包装ケースの美観を損なわない。
また、箱本体と蓋部との境界近傍に、蓋部を開蓋しうる切り取り線が設けられているので、舌片を切り口から引き抜かなくても容易に開蓋することが可能で、包装の解除が容易で、内容物を取り出す際に、上記切り取り線から確実にケースが破壊するため、包装ケースの再使用を有効に防止することができる。
【００１３】
本発明のインクカートリッジ用包装ケースにおいて、上記箱状体が上面に開口する箱本体と上記開口を蓋する蓋部とを有し、上記箱本体に、開口一辺を介して連結された吊り下げ部が形成され、上記吊り下げ部に、先端部が上記開口内に差込まれる折り返し片が形成され、上記折り返し片の先端部に舌片が形成されている場合には、包装ケースを店頭等で吊り下げて陳列等する吊り下げ部を利用して舌片が形成されるため、構造的に無駄なく舌片を形成することができて美観を損なわないうえ、コスト的にも有利である。また、内容物を取り出すときだけでなく、包装ケースを吊り下げて陳列している際に吊り下げ部に加わる荷重によっても舌片が破損しやすくなるため、包装ケースの再使用を有効に防止することができる。
【００１４】
本発明のインクカートリッジ用包装ケースにおいて、上記舌片の先端縁が略弧状に形成されている場合には、包装ケースの組立ての際に、舌片を切り口に挿入しやすく、組立て作業性を大幅に低下させない。
【００１５】
本発明のインクカートリッジ用包装ケースにおいて、上記舌片の引掛り片が、舌片の両側縁に形成された突片である場合には、切り口に挿入された舌片を引き抜く際に、上記突片が破損しやすく、包装ケースの再使用を有効に防止することができる。
【００１６】
本発明のインクカートリッジ用包装ケースにおいて、上記舌片が、折り返し片の先端部に切り込みが形成されることにより形成されている場合には、折り返し片を利用して舌片が形成されるため、構造的に無駄なく舌片を形成することができて美観を損なわないうえ、コスト的にも有利である。
【００１７】
本発明のインクカートリッジ用包装ケースにおいて、上記切り口の両端部に、舌片の引掛り片と係合しうる係合片が形成されている場合には、上記係合片と係合した引掛り片が、切り口に挿入された舌片を引き抜く際に破損しやすく、包装ケースの再使用を有効に防止することができる。
【００１８】
本発明のインクカートリッジ用包装ケースにおいて、上記切り口の両端部を除く部分に、折り曲げ片が折り曲げられた状態でスリットを形成する切り起し片が設けられている場合には、包装ケースを組立てる際に、上記切り起し片によって形成されたスリットに舌片を挿入すればよいことから、舌片を切り口に挿入しやすく、組立て作業性を低下させない。
【００２０】
【発明の実施の形態】
つぎに、本発明の実施の形態を詳しく説明する。
【００２１】
図１および図２は、本発明のインクカートリッジ用包装ケースを示す斜視図であり、図３は上記包装ケースの展開図である。この包装ケースは、基本的には図７に示すものと同様であり、以下、同様の部分には同じ符号を付して説明する。
【００２２】
上記包装ケースは、紙製で全体として略直方体状を呈し、上面に開放する箱本体１０と、この箱本体１０の前側上端の開口一辺を介して連結されて上面開口を蓋する蓋部１３と、背面上側の開口一辺を介して連結された吊り下げ部１２とを備えている。
【００２３】
上記箱本体１０は、正面に位置する正面部２０と、上記正面部の両側縁を介して折り曲げ可能に連結された左右の側面部２１，２２と、上記左側面部２１の端縁を介して折り曲げ可能に連結された背面部２３と、上記正面部２０，左右の側面部２１，２２，背面部２３の下端縁にそれぞれ延設された第１底面部２４および第２底面部２５とから構成されている。図３において、２６は接着しろである。
【００２４】
正面部２０および背面部２３に延設された第１底面部２４は、中央やや右寄り部に略台形の切欠きが設けられるとともに、上記台形の頂部から斜めに折れ線２７が形成され、この折れ線２７より下側の部分が、隣接する第２底面部２５と接着される接着部２８になっている。また、上記第１底面部２４には、その中央部に、対向した２つの第１底面部２４同士を係止させる係止部２９が形成されている。
【００２５】
そして、背面部２３の側縁の接着しろ２６と正面部２２を接着し、第１底面部２４の接着部２８と第２底面部を接着して箱本体１０を形成し、図４（ａ）〜（ｃ）に示すように、斜めにつぶれた状態の箱本体１０を直方体状に起こす際に、対向した第１底面部２４の係止部２９同士が係止されることにより底面がつくられるようになっている。
【００２６】
上記吊り下げ部１２は、背面部２３の上端縁に延設された背面板３０と、この背面板３０の前側に折り返される折り返し片３１とから構成され、上記折り返し片３１の先端部が、箱本体１０の開口内に差込まれるようになっている。上記背面板３０および折り返し片３１には、折れ線３２を挟んで対称に、フック穴１１が穿設されている。
【００２７】
上記折り返し片３２の先端部中央には、逆ハ字状の切欠きと、この切欠きに連続する２本の切れ込みが形成され、上記両切れ込みに挟まれた部分に、舌片１が形成されている。上記舌片１は、先端縁が弧状に形成されるとともに、両側縁に突片３が形成されている。このように、上記舌片１が、折り返し片３２の先端部に形成された切り込みにより形成されているため、折り返し片３２を利用して舌片１が形成され、構造的に無駄なく舌片１を形成することができて美観を損なわず、コスト的にも有利となる。
【００２８】
一方、上記蓋部１３の先端には、閉蓋状態で箱本体１０の開口内に差込まれる折り曲げ片１４が延設されている。この折り曲げ片１４は、閉蓋状態で上記吊り下げ部１２の先端部と接着されるようになっている。
【００２９】
また、上記箱本体１０を構成する左右の側面部２１，２２の上端縁には、箱本体１０の開口内に折り曲げられて閉蓋状態の蓋部１３下面と接着される接着片１５が延設されている。上記両接着片１５には、複数の微小切れ込み３３が形成され、接着剤の浸透を助けて接着片１５と蓋部１３との接着力を向上させるようになっている。
【００３０】
そして、上記蓋部１３には、折り曲げ片１４の折り目に沿って、上記舌片１が挿入される切り口２が形成されている。このように、切り口２が折り目に沿って形成されているため、切り口２が目立ち難く美観を損なわない。上記切り口２の両端部は、図５に示すように、山形に切り込まれ、この部分に、上記舌片１の突片３と係合しうる山形の係合片４が形成されている。また、上記両係合片４に挟まれた部分には、折り曲げ片１４（図５では隠れて見えない）が折り曲げられた状態で、上記切り口２の部分にスリットを形成する切り起し片５が形成される。
【００３１】
また、上記箱本体１０と蓋部１３との境界の折れ線部分には、ミシン目１６が形成されている。また、上記折れ線部分の略中央には、上記ミシン目１６と繋がる矩形のミシン目が形成され、このミシン目によって囲われた部分が、押圧部１７に形成されている。
【００３２】
上記構成の包装ケースを用い、つぎのようにしてインクカートリッジを包装することができる。まず、背面部２３の側縁の接着しろ２６と正面部２２が接着され、第１底面部２４の接着部２８と第２底面部が接着されて箱本体１０が形成された包装ケースを準備する。
【００３３】
ついで、斜めにつぶれた状態の箱本体１０を起こして箱本体１０を組立て（図４参照）、組立てられた箱本体１０の中に内容物であるインクカートリッジを収容する。つぎに、箱本体１０両側の接着片１５を開口内に折り込むとともに、蓋部１３を折り曲げて折り曲げ片１４を開口内に差込み、蓋部１３で開口を蓋し、上記接着片１５と蓋部１３下面とを接着剤等で接着する（図１および図２参照）。このとき、上記折り曲げ片１４の吊り下げ部１２の先端に当接する部分にも接着剤を塗布しておく。
【００３４】
そして、吊り上げ部１２の折り返し片３１を前方に折り返し、折り返し片３１先端の舌片１を、蓋部１３と折り曲げ片１４の折り目に沿って形成された切り口２に差込むとともに、吊り下げ部１２の先端部と折り曲げ片１４とを接着することが行われ、インクカートリッジの包装が完了する（図５および図６参照）。このとき、上記舌片１の先端縁が弧状に形成されるとともに、上記切り口２の部分に形成された切り起し片５により、折り曲げ片１４が折り曲げられた状態でスリットが形成されているため、舌片１を切り口２に挿入しやすく、組立て作業性を低下させない。
【００３５】
上記包装ケースは、吊り下げ部１２のフック穴１１をフック等に引っ掛けることにより、店頭等に陳列され、インクカートリッジの販売が行われる。
【００３６】
そして、販売されたインクカートリッジを包装ケースから取り出す場合には、箱本体１０の前面上部に形成された押圧部１７を背面側に向かって押圧して蓋部１３の前端に手指を掛け、その状態で蓋部１３を上方に向かって回動させることによりミシン目１６を破って開蓋し、内部のインクカートリッジを取り出すことが行われる。このように、箱本体１０と蓋部１３との境界にミシン目１６が設けられているため、舌片１を切り口２から引き抜かなくても容易に開蓋することが可能で、包装の解除が容易である。また、内容物を取り出す際に、上記ミシン目１６から確実にケースが破壊するため、包装ケースの再使用を防止できる。
【００３７】
また、たとえ剥離剤等を用いて蓋部１３等の接着を剥がし、包装ケースを破壊せずに開けようとしても、舌片１を切り口２から抜き出す際に、舌片１の両側縁に形成された突片３と切り口２の両端に形成された係合片４とが係合し、無理に舌片１を引き抜こうとすると舌片１もしくは切り口２の周辺が破れる。したがって、包装ケースの再使用ができなくなり、包装ケースの再使用による粗悪品の流通を有効に防止することができる。
【００３８】
また、上記包装ケースでは、包装ケースを店頭等で吊り下げて陳列等する吊り下げ部１２の先端を利用して舌片１が形成されているため、構造的に無駄なく舌片１を形成できて美観を損なわず、コスト的にも有利である。また、内容物を取り出すときだけでなく、包装ケースを吊り下げて陳列する際に吊り下げ部１２に加わる荷重によっても舌片１が破損しやすくなるため、包装ケースの再使用を有効に防止できる。
【００３９】
【発明の効果】
以上のように、本発明のインクカートリッジ用包装ケースによれば、内容物を取り出す際に、上記舌片を切り口から抜かなければならず、その際、舌片の引掛り片が切り口端部に引掛かって破損しやすくなる。したがって、内容物を取り出す際に舌片が破壊して再使用できなくなり、従来のような不正な粗悪品の流通を防止できる。
【図面の簡単な説明】
【図１】本発明の一実施の形態のインクカートリッジ用包装ケースの開蓋状態を示す斜視図である。
【図２】上記包装ケースを閉蓋して折り返し片を折り曲げた状態を示す斜視図である。
【図３】上記包装ケースの展開図である。
【図４】上記包装ケースの組立て状態を示す底面図である。
【図５】上記包装ケースの組立て状態を示す要部拡大斜視図である。
【図６】上記包装ケースの包装状態を示す斜視図である。
【図７】従来の包装ケースを示す斜視図であり、（ａ）は包装状態であり、（ｂ）は開蓋状態である。
【符号の説明】
１  舌片
２  切り口
３  突片
３１  折り返し片
【図１】
0003968935.tif 000002
【図２】
0003968935.tif 000003
【図３】
0003968935.tif 000004
【図４】
0003968935.tif 000005
【図５】
0003968935.tif 000006
【図６】
0003968935.tif 000007
【図７】
0003968935.tif 000008